(57)【特許請求の範囲】
【請求項１】
電池ホルダを収容するホルダ収容部が設けられた筐体と、前記筐体に形成された前記ホルダ収容部の開口を閉塞する蓋体とを備える電源装置であって、
前記蓋体は、
互いに近接する方向に操作可能な第1及び第２操作部材と、
前記第1操作部材の裏面に形成された第1ピンが挿入される係止部及びカム面を有する第1カム溝と前記第２操作部材の裏面に形成された第２ピンが挿入される係止部及びカム面を有する第２カム溝とを有するカム部材と、
前記筐体に該蓋体を係止し前記カム部材の回動により前記筐体に対する該蓋体の係止を解除する第1及び第２ラッチと
を備え、
前記第1操作部材及び前記第２操作部材の前記第1ピン及び前記第２ピンは、それぞれ前記第１カム溝及び前記第２カム溝の前記係止部に係止されており、前記第1操作部材及び前記第２操作部材が同時に操作された場合に、前記第1ピン及び前記第２ピンがそれぞれ前記係止部から外れ、前記第１カム溝及び前記第２カム溝の前記カム面に沿って移動し前記カム部材を回動させることを特徴とする電源装置。
【請求項２】
前記第1操作部材及び前記第２操作部材は、互いに離間する方向に付勢されていることを特徴とする請求項１記載の電源装置。
【請求項３】
前記第1ラッチ及び前記第２ラッチは、互いに離間する方向に付勢されていることを特徴とする請求項１または２記載の電源装置。
【請求項４】
前記蓋体と前記電池ホルダは、一体に形成されていることを特徴とする請求項1〜３の何れか一項に記載の電源装置。
【発明の詳細な説明】
【技術分野】
【０００１】
本発明は、電子機器に対して電力の供給を行う電源装置に関するものである。
【背景技術】
【０００２】
従来、落下、振動、あるいは使用者の不用意な操作などで、電池収納部をカバーする電池蓋が容易に筐体から外れないようにするために、電池収納部をカバーするように取り付けた状態を維持させるロック爪を有する電池蓋を有する電子機器筐体が存在する（特許文献1参照）。この電子機器筐体においては、ロック爪を押圧してロック状態を解除すると同時に電池蓋をスライドさせることにより電子機器筐体から電池蓋を取り外すことができる。
【特許文献１】特開２００２−２１６７２８号公報
【発明の開示】
【発明が解決しようとする課題】
【０００３】
しかしながら、上述の電子機器筐体においては、電子機器筐体から電池蓋を取り外すためには、ロック爪を押圧する動作（ユーザーによる押圧操作）と電池蓋をスライドさせる動作（ユーザーによるスライド操作）、即ち２つの動作（操作）を同時に行う必要があり、電子機器筐体から電池蓋を取り外し難くなっていた。
【０００４】
本発明の目的は、筐体に形成された電池ホルダ収容部の開口に対して容易に着脱可能な蓋体を備える電源装置を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の電源装置は、電池ホルダを収容するホルダ収容部が設けられた筐体（４）と、前記筐体に形成された前記ホルダ収容部の開口を閉塞する蓋体（６）とを備える電源装置（２）であって、前記蓋体は、互いに近接する方向に操作可能な第1及び第２操作部材（１２，１３）と、前記第1操作部材の裏面に形成された第1ピンが挿入される係止部（２０ａ）及びカム面（２１ｂ）を有する第1カム溝（１８ａ）と前記第２操作部材の裏面に形成された第２ピンが挿入される係止部（２０ｂ）及びカム面（２１ｂ）を有する第２カム溝（１８ｂ）とを有するカム部材（１８）と、前記筐体に該蓋体を係止し前記カム部材の回動により前記筐体に対する該蓋体の係止を解除する第1及び第２ラッチ（１６，１７）とを備え、前記第1操作部材及び前記第２操作部材の前記第1ピン及び前記第２ピンは、それぞれ前記第１カム溝及び前記第２カム溝の前記係止部に係止されており、前記第1操作部材及び前記第２操作部材が同時に操作された場合に、前記第1ピン及び前記第２ピンがそれぞれ前記係止部から外れ、前記第１カム溝及び前記第２カム溝の前記カム面に沿って移動し前記カム部材を回動させることを特徴とする。
【発明の効果】
【０００７】
本発明によれば、筐体に形成された電池ホルダ収容部の開口に対して容易な操作で着脱可能でありながら、装置の落下や、振動、あるいは使用者の不注意な操作などには外れにくい蓋体を備える電源装置を提供することができる。
【発明を実施するための最良の形態】
【０００８】
以下、図面を参照して、本発明の実施形態に係る電源装置について説明する。図１は、本実施形態に係る電源装置の部分斜視図である。電源装置２は、複数の電池を保持する電池ホルダ（図示せず）を収容するホルダ収容部（図示せず）が設けられた筐体４と、筐体４に形成されたホルダ収容部の開口を閉塞する蓋体６とを備えており、図示しない電子機器に対して電力の供給を行う。なお、本実施形態に係る電源装置においては、蓋体６の内側に電池ホルダが形成され、蓋体６と電池ホルダとが一体に形成されているが、説明を簡単にするために電池ホルダの図示を省略している。
【０００９】
図２は蓋体６を構成する各部品（カバー部材１０の図示を省略する。）を組立てた状態を示す図であり、図３は蓋体６を構成する各部品を展開した状態を示す図である。図２及び図３に示すように、カバー部材１０の一端部に形成された開口部１０ａと他端部に形成された開口部１０ｂに、互いに近接する方向（図３，５の矢印Ａ，Ｂの方向）に操作可能な第1操作部材１２と第２操作部材１３がそれぞれ挿入配置される。
【００１０】
第１操作部材１２は第１リンク部材１４と接続され、第２操作部材１３は第２リンク部材１５と接続される。なお、本実施形態においては、第１操作部材１２と第１リンク部材１４とを別部材として形成し、第２操作部材１３と第２リンク部材１５とを別部材として形成しているが、第１操作部材１２と第１リンク部材１４とを一体として形成し、第２操作部材１３と第２リンク部材１５とを一体として形成してもよい。ここで第１リンク部材１４及び第２リンク部材１５のそれぞれの腕部１４ｃ，１５ｃには、図示しないバネ部材が巻回されており、このバネ部材により第1操作部材１２及び第２操作部材１３を互いに離間する方向に付勢している。
【００１１】
第1操作部材１２に接続された第１リンク部材１４の裏面には、第1ピン１４ａ（図５参照）が形成されており、第２操作部材１３に接続された第２リンク部材１５の裏面には、第２ピン１５ａ（図５参照）が形成されている。なお、第1操作部材１２と第１リンク部材１４とが一体に形成され、第２操作部材１３と第２リンク部材１５とが一体に形成されている場合には、第1操作部材１２の裏面に第１ピンを形成し、第２操作部材１３の裏面に第２ピンを形成してもよい。第1操作部材１２に接続された第１リンク部材１４の裏面に形成された第1ピン１４ａは、図４に示すカム部材１８の第１カム溝１８ａに挿入され、第２操作部材１３に接続された第２リンク部材１５の裏面に形成された第２ピン１５ａは、カム部材１８の第２カム溝１８ｂに挿入される。
【００１２】
図４は、図３に示すカム部材１８を裏面側から視た図である。第1ピン１４ａが挿入される第1カム溝１８ａは、第1ピン１４ａが係止される係止部２０ａと第1ピン１４ａとの接触位置を順次移動させるカム面２１ａを有しており、第２ピン１５ａが挿入される第２カム溝１８ｂは、第２ピン１５ａが係止される係止部２０ｂと第２ピン１５ａとの接触位置を順次移動させるカム面２１ｂを有している。
【００１３】
第1ピン１４ａは、第１カム溝１８ａの係止部２０ａに係止される平面部１４ｂを有しており、第２ピン１５ａは、第２カム溝１８ｂの係止部２０ｂに係止される平面部１５ｂを有している。従って、第1ピン１４ａの平面部１４ｂが係止部２０ａに係止され、第２ピン１５ａの平面部１５ｂが係止部２０ｂに係止されることにより、カム部材１８の図５に示す実線矢印方向の回転が規制される。なお、第1ピン１４ａ及び第２ピン１５ａが平面部１４ｂ，１５ｂを有することにより、第１カム溝１８ａ及び第２カム溝１８ｂの係止部２０ａ，２０ｂを小さくしても確実に第1ピン１４ａ及び第２ピン１５ａを係止することができる。
【００１４】
図４に示すように、カム部材１８の裏面には、第１ピン１８ｃ及び第２ピン１８ｄが設けられており、第１ピン１８ｃは第１ラッチ１６の開口１６ａに挿入され、第２ピン１８ｄは第２ラッチ１７の開口１７ａに挿入される。第１ラッチ１６及び第２ラッチ１７は、図示しないバネ部材により、互いに離間する方向へ付勢され、第１ラッチ１６の第１ラッチ部１６ａ及び第２ラッチ１７の第２ラッチ部１７ａを筐体４のホルダ収容部の内壁に係止させることにより、蓋体６により筐体４に形成されたホルダ収容部の開口を閉塞する。なお、蓋体６を構成する各部品は、ブロック部材１９を基板として組立てられている。
【００１５】
この電源装置２において、筐体４に形成されたホルダ収容部の開口を閉塞している蓋体６を筐体４から取り外す場合には、第1操作部材１２と第２操作部材１３とを同時に、互いに近接する方向（図５に示す破線矢印方向）に押す。これにより、図５に示す状態において、カム部材１８の係止部２０ａにより係止されていた第1ピン１４ａの平面部１４ｂが係止部２０ａから外れると同時に、カム部材１８の係止部２０ｂにより係止されていた第２ピン１５ａの平面部１５ｂが係止部２０ｂから外れ、第1ピン１４ａ及び第２ピン１５ａがそれぞれカム面２１ａ，２１ｂに接触し、第1ピン１４ａ及び第２ピン１５ａがそれぞれカム面２１ａ，２１ｂに沿って移動することにより、図６に示すようにカム部材１８が図中の実線矢印方向に回転する。これにより第1ラッチ１６と第２ラッチ１７が互いに近接する方向に移動し、第１ラッチ１６の第１ラッチ部１６ａ及び第２ラッチ１７の第２ラッチ部１７ａの筐体４のホルダ収容部の内壁に対する係止が解除され、筐体４から蓋体６を取り外すことができる。
【００１６】
なお、第1操作部材１２と第２操作部材１３の何れか一方が図５に示す破線矢印方向に押された場合には、押されていないほうの操作部材に接続されているリンク部材に設けられた第1ピン１４ａまたは第２ピン１５ａがカム部材１８の係止部２０ａまたは係止部２０ｂから外れていないため、カム部材１８が図５における実線矢印方向に回転することはなく、第１ラッチ１６の第１ラッチ部１６ａ及び第２ラッチ１７の第２ラッチ部１７ａの筐体４のホルダ収容部の内壁に対する係止が解除されることはない。
【００１７】
この実施形態における電源装置においては、第1操作部材１２と第２操作部材１３とを同時に互いに近接する方向に押すという容易な操作だけで、容易に筐体４から蓋体６を取り外すことができる。また、第1操作部材１２と第２操作部材１３とを同時に互いに近接する方向に押した場合にのみ、筐体４から蓋体６が外れるため、通常の落下、振動、不用意な操作等で筐体４から蓋体６が外れるのを防止することができる。
【００１８】
なお、上述の実施形態においては、蓋体と電池ホルダは一体に形成されているが、蓋体と電池ホルダとが分離された構成を有していてもよい。
【００１９】
また、上述の実施形態においては、第１カム溝１８ａに挿入される第1ピン１４ａが第１カム溝１８ａの係止部２０ａに係止される平面部１４ｂを有し、第２カム溝１８ｂに挿入される第２ピン１５ａが第２カム溝１８ｂの係止部２０ｂに係止される平面部１５ｂを有しているが、係止部２０ａ，２０ｂを深く形成する場合には、第1ピン１４及び第２ピン１５ａに平面部を設ける必要はない。
【図面の簡単な説明】
【００２０】
【図１】実施形態に係る電源装置の部分斜視図である。
【図２】実施形態に係る蓋体を構成する各部品を組立てた状態を示す図である。
【図３】実施形態に係る蓋体を構成する各部品を展開した状態を示す図である。
【図４】実施形態に係る蓋体を構成するカム部材の形状を示す図である。
【図５】実施形態に係るラッチ部材が筐体に係止されている場合のカム部材の状態を示す図である。
【図６】実施形態に係るラッチ部材が筐体に対する係止が解除された場合のカム部材の状態を示す図である。
【符号の説明】
【００２１】
２…電源装置、４…筐体、６…蓋体、１０…カバー部材、１２…第１操作部材、１３…第２操作部材、１４…第１リンク部材、１５…第２リンク部材、１６…第１ラッチ、１６ａ…第１ラッチ部、１７…第２ラッチ、１７ａ…第２ラッチ部、１８…カム部材、１８ａ…第１カム溝、１８ｂ…第２カム溝、２０ａ…第１係止部、２０ｂ…第２係止部、２１ａ…第１カム面、２１ｂ…第２カム面
【図１】
0005262298.tif 000002
【図２】
0005262298.tif 000003
【図３】
0005262298.tif 000004
【図４】
0005262298.tif 000005
【図５】
0005262298.tif 000006
【図６】
0005262298.tif 000007